(57)【要約】【課題】間取りの自由度や外観デザインに優れる建物構造を提供する。【解決手段】水平方向に延びる平板状の構造スラブ板３，５と、複数の金属梁４１〜４８から構成され、構造スラブ板３，５に載置されて固定される梁構造体４，６と、構造スラブ板３，５及び梁構造体４，６の少なくともいずれか一方に固定され、構造スラブ板３，５より下方に配置される平板状の構造壁２と、を備えている。【選択図】図２
2020190170.tif 000002
【特許請求の範囲】
【請求項１】
水平方向に延びる平板状の構造スラブ板と、
複数の金属梁から構成され、前記構造スラブ板に載置されて固定される梁構造体と、
前記構造スラブ板及び前記梁構造体の少なくともいずれか一方に固定され前記構造スラブ板より下方に配置される平板状の構造壁と、を備えていることを特徴とする建物構造。
【請求項２】
前記梁構造体は、複数の前記金属梁が一体的に面状に配置されていることを特徴とする請求項１に記載の建物構造。
【請求項３】
前記構造壁は、前記構造スラブ板を貫通した締結手段で前記梁構造体に対して固定されていることを特徴とする請求項１または２に記載の建物構造。
【請求項４】
前記構造スラブ板は複数の板材からなり、これら板材の延びる方向は前記梁構造体と交差して配置されていることを特徴とする請求項１ないし３のいずれかに記載の建物構造。
【請求項５】
前記梁は、Ｈ形鋼であることを特徴とする請求項１ないし４のいずれかに記載の建物構造。
【請求項６】
上階の構造壁は、前記梁構造体に固定されていることを特徴とする請求項１ないし５のいずれかに記載の建物構造。
【請求項７】
前記梁構造体の上方には、前記構造スラブ板から離間して上階の床仕上げ材が延設されていることを特徴とする請求項１ないし６のいずれかに記載の建物構造。
【発明の詳細な説明】
【技術分野】
【０００１】
本発明は、家屋、店舗、倉庫等の木造の建物構造に関する。
【０００２】
木材で組まれた枠組に構造用合板を張った壁、床及び天井によって構成される木造枠組壁工法（いわゆるツーバイフォー工法）は、在来工法の木造枠組壁工法とは異なり柱を用いずに建物を建築することができ、壁、床及び天井の配置により工法建物構造の強度を確保できることが知られている。
【０００３】
例えば、特許文献１に示される建物構造は、２階建の木造枠組壁工法によるものであって、１階部分は基礎に支持された土台と、土台に支持された根太と、根太の上面を覆うように固定された床材と、床材の上側に固定された枠組（構造壁）と、枠組に支持された頭つなぎと、を備え、２階部分は、１階部分の頭つなぎの上側に固定された根太と、根太の上面を覆うように固定された１階部分の天井をなすとともに２階部分の床をなす床板材と、床材の上側に固定された枠組（構造壁）と、枠組に支持された頭つなぎと、を備え、２階部分の頭つなぎの上側には屋根が固定されている。
【先行技術文献】
【特許文献】
【０００４】
【特許文献１】特開２０１５−１０１８５０号公報（第５頁、第１，３，５図）
【発明の概要】
【発明が解決しようとする課題】
【０００５】
上述した、２階部分の根太は、水平方向に延びる角材であって平行して複数配置され、上面側は床材を介して２階部分の枠組に沿って釘により固定され、下面側は角材である頭つなぎを介して１階部分の枠組に沿って釘により固定されており、部屋の中央部分は部屋の周囲に比べて強度が低くなっているため、たわみやすくなっていた。また、枠組を１階部分及び２階部分の各側面に配置して耐力壁として機能させることで、構造強度を確保していることから、枠組の配置は制約されていた。具体的には、特許文献１のような木造枠組壁工法にあっては、構造強度を確保するために枠組を配置する位置等の様々な仕様が予め定められており、例えば、枠組同士の間隔を広げる等、間取りの自由度や外観デザインが制限される問題があった。
【０００６】
本発明は、このような問題点に着目してなされたもので、間取りの自由度や外観デザインに優れる建物構造を提供することを目的とする。
【課題を解決するための手段】
【０００７】
前記課題を解決するために、本発明の建物構造は、
水平方向に延びる平板状の構造スラブ板と、
複数の金属梁から構成され、前記構造スラブ板に載置されて固定される梁構造体と、
前記構造スラブ板及び前記梁構造体の少なくともいずれか一方に固定され前記構造スラブ板より下方に配置される平板状の構造壁と、を備えていることを特徴としている。
この特徴によれば、複数の金属梁から構成される強度の高い梁構造体が構造スラブ板に載置されて固定されることで構造スラブ板のたわみに対する強度が高いため、構造スラブ板の下方の一部の構造壁を省略しても構造強度を確保でき、間取りの自由度や外観デザインに優れる。さらに、構造スラブ板に梁構造体が載置されていることから、梁構造体が露見することがなく、美観を向上させることができる。
【０００８】
前記梁構造体は、複数の前記金属梁が一体的に面状に配置されていることを特徴としている。
この特徴によれば、構造スラブ板のたわみに対する強度が向上する。
【０００９】
前記構造壁は、前記構造スラブ板を貫通した締結手段で前記梁構造体に対して固定されていることを特徴としている。
この特徴によれば、構造壁と構造スラブ板と梁構造体とが一体となって固定されるため、建物構造が安定する。
【００１０】
前記構造スラブ板は複数の板材からなり、これら板材の延びる方向は前記梁構造体と交差して配置されていることを特徴としている。
この特徴によれば、板材の短辺方向に沿って梁構造体が交差するように配置されることから、構造スラブ板の強度が高くなっており、キャンチレバー構造を大きく構成することができる。
【００１１】
前記梁は、Ｈ形鋼であることを特徴としている。
この特徴によれば、比較的軽い構造で高い曲げ強度を有する。
【００１２】
上階の構造壁は、前記梁構造体に固定されていることを特徴としている。
この特徴によれば、上階の構造壁と下階の構造壁と梁構造体とが一体となって固定されるため、建物構造が安定する。
【００１３】
前記梁構造体の上方には、前記構造スラブ板から離間して上階の床仕上げ材が延設されていることを特徴としている。
この特徴によれば、構造スラブ板が上階の床板を直接構成しないことから、床仕上げ材は構造強度に関わらず、床仕上げ材そのものの形状や素材の選択に加え、床仕上げ材に付加されるパーティションの位置を自由に選択することができ、空間設計の自由度に優れる。
【図面の簡単な説明】
【００１４】
【図１】本発明の実施例における建物構造を示す斜視図である。
【図２】建物構造を示す分解斜視図である。
【図３】構造壁と第１梁構造体とを連結する様子を示す分解斜視図である。
【図４】第１スラブ及び第１梁構造体を示す上面断面図である。
【図５】変形例１における建物構造を示す概略図である。
【図６】変形例２における建物構造を示す概略図である。
【図７】変形例３における建物構造を示す概略図である。
【図８】変形例４における建物構造を示す概略図である。
【図９】変形例５における建物構造を示す概略図である。
【図１０】変形例６における建物構造を示す斜視図である。
【図１１】（ａ）は変形例６における建物構造の１階部分を示す上面図、（ｂ）は同じく２階部分を示す上面図、（ｃ）は同じく３階部分を示す上面図である。
【発明を実施するための形態】
【００１５】
本発明に係る建物構造を実施するための形態を実施例に基づいて以下に説明する。
【実施例】
【００１６】
実施例に係る建物構造につき、図１から図１０を参照して説明する。以下、図４の紙面下側を建物構造の正面側（前方側）とし、建物構造を正面から見た左右を建物構造の左右側として説明する。
【００１７】
図１に示されるように、建物構造１は、例えば、戸建て住宅やアパートなどの建物構造であって、本実施例においては２階建ての建物に適用される。尚、本実施例の建物構造１は、２階建てである形態を例示するが、平屋、または３階建て以上の建物にも適用できる。
【００１８】
図１及び図２に示されるように、建物構造１は、基礎Ｆと、複数の構造壁２と、第１スラブ３と、第１梁構造体４（梁構造体）と、第２スラブ５と、第２梁構造体６（梁構造体）と、屋根材７と、から主に構成されている。具体的には、基礎Ｆの上方には、１階部分の側壁（外壁）を構成する複数の構造壁２が立設して配置されている。１階部分の構造壁２の上方には第１スラブ３が固定され、該第１スラブ３の上方には第１梁構造体４が固定されている。また、第１梁構造体４の上方には、２階部分の側壁を構成する複数の構造壁２が立設して配置されている。２階部分の構造壁２の上方には第２スラブ５が固定され、該第２スラブ５の上方には第２梁構造体６が固定され、第２梁構造体６の上方に屋根材７が固定されている。すなわち、構造壁２が第１スラブ３及び第２スラブ５を支持しており、構造壁２以外の柱を省略できるようになっている。尚、本実施例では、構造壁２が側壁を構成する形態を例示したが、構造壁２の外側に側壁を別途設けてもよい。
【００１９】
構造壁２は、例えば、厚さが１５０ｍｍの厚板集成材で構成されており、左右方向または前後方向（構造壁２の幅方向）に並設されることにより建物構造１の側壁を構成している（図４参照）。また、構造壁２同士が離間した部位には、窓枠１６が設置される（図１のみ図示）。尚、構造壁２同士が離間した部位には、窓枠１６を設けず、開口としてもよいし、窓枠１６に代えて他の構造部材を配置してもよい。
【００２０】
また、基礎Ｆ及び第１梁構造体４の上方には、図示しない床板（床仕上げ材）が支持されるようになっている。また、建物構造１の１階部分または２階部分には、空間を区画する構造壁２とは異なるパーティション（図示略）が設けられている。１階部分のパーティションは、第１スラブ３に吊り下げられた状態で第１スラブ３と床板との間で固定されている。すなわち、当該パーティションは、床板よりも構造強度の高い第１スラブ３に支持されるので、パーティションを安定して設置できる。尚、２階部分のパーティションについても１階部分のパーティションと同様の構成であるため、その説明を省略する。また、パーティションは、床板の上方に自立して設置されていてもよく、この場合、第１スラブ３または第２スラブ５に達しない高さのパーティションであってもよい。
【００２１】
第１スラブ３は、厚さが１５０〜２１０ｍｍの複数の厚板集成材３１，３１’が左右方向（第１スラブ３の幅方向）に並設されて固定されることにより一体的に構成されており、１階部分の天井を構成する構造スラブ板として機能している。この厚板集成材３１は、厚板集成材３１’よりも前後方向に短く形成されており、第１スラブ３は上面視で略Ｌ字状を成す（図４参照）。
【００２２】
また、第２スラブ５は、厚さが１５０〜２１０ｍｍの複数の厚板集成材５１が左右方向（第２スラブ５の幅方向）に並設されて固定されることにより一体的に構成されており、２階部分の天井を構成する構造スラブ板として機能している。この厚板集成材５１は、前後方向に同一長さに延設されており、第２スラブ５は上面視で長方形を成す。
【００２３】
図２及び図３に示されるように、第１梁構造体４は、複数のＨ形鋼４１〜４８（金属梁）を一体的に連結した枠体に形成されている。具体的には、図４に示されるように、左右方向に延びるＨ形鋼４１，４２が前後に離間して平行に配置されており、Ｈ形鋼４１，４２間を繋ぐように前後方向に延びるＨ形鋼４３，４４，４５，４６が左右に離間して配置されている。Ｈ形鋼４１，４２は、厚板集成材３１の前後方向の長さと略同じ長さで離間しており、厚板集成材３１の延設方向（前後方向）と直交する方向に延びている。
【００２４】
また、Ｈ形鋼４３〜４６のうち最も右側に配置されるＨ形鋼４３と、その左側に隣接するＨ形鋼４４との間は、左右方向に延びるＨ形鋼４７により連結されており、Ｈ形鋼４４と、その左側に隣接するＨ形鋼４５との間は、左右方向に延びるＨ形鋼４８により連結されている。また、Ｈ形鋼４３は、Ｈ形鋼４１，４２の右端部を連結しており、Ｈ形鋼４３〜４６のうち最も左側に配置されるＨ形鋼４６は、Ｈ形鋼４１，４２の左端部よりも右側の位置で連結している。尚、第２梁構造体６は、第１梁構造体４と同一構成であるため、第２梁構造体６の説明を省略する。
【００２５】
次いで、構造壁２、第１スラブ３、第１梁構造体４の詳しい連結態様について図３及び図４に基づいて説明する。尚、構造壁２、第２スラブ５、第２梁構造体６の連結態様は、構造壁２、第１スラブ３、第１梁構造体４の連結態様と同一であるため、その説明を省略する。さらに尚、ここでは、第１梁構造体４のＨ形鋼４６に構造壁２及び第１スラブ３が連結される形態を例示する。
【００２６】
図３に示されるように、構造壁２の上端部の左右両側には、上方に延びるボルト８ａ（締結手段）を有する引張金物８が埋め込まれて設置されており、構造壁２の上端部の中央部には、上方に延びるボルト１０ａを有するせん断金物１０が埋め込まれて設置されている。ボルト８ａはボックス金具１２に固定されている。ボックス金具１２は、Ｈ形鋼４６の底板にボルト及びナット（図示せず）等により固定されている。また、上階の構造壁２のボルト８ａ’は第１梁構造体４のＨ形鋼４６に形成された貫通孔４６ａに上方から挿通され、ナット９により締結されている。また、せん断金物１０のボルト１０ａは、ボックス金具１１に固定されているとともに、ボックス金具１１は、Ｈ形鋼４６の底板にボルト及びナット（図示せず）等により固定されている。また、上階の構造壁２のせん断金物１０’のボルト１０ａ’は第１梁構造体４のＨ形鋼４６に形成された貫通孔４６ａに上方から挿通され、ナット９により締結されている。第１梁構造体４のＨ形鋼４６は、ネジ１４等を用いて第１スラブ３に固定されている。また、ボックス金具１２,ボックス金具１１は、第１スラブ３の厚さと同程度の厚みを有し、第１スラブ３の切り欠き部１５に配置される構造であり、第１梁構造体４と上下階の構造壁２とは、ボックス金具１２,ボックス金具１１を介して連結されることで、これらの固定強度を確保しながら、組み立てが容易となっている。
【００２７】
また、第１スラブ３は、Ｈ形鋼４６の長手方向に沿って図示しないボルト・ナットにより固定されている。すなわち、第１スラブ３と第１梁構造体４とは一体化され、第１スラブ３は、その構造強度が第１梁構造体４により補強されつつ支持されている。
【００２８】
また、前述したように、第１スラブ３は、上面視で略Ｌ字状を成しているので、厚板集成材３１’の前側の部位が第１梁構造体４よりも前方側に張り出すようになっている。すなわち、厚板集成材３１’の前側の部位がキャンチレバー構造となっており、下方に構造壁２や柱などが存在しないので１階部分の空間を開放的に演出することができる。
【００２９】
構造壁２は、第１梁構造体４のＨ形鋼４６の垂直上方及び垂直下方の位置に配置されている。尚、１階部分の側壁を構成する構造壁２は、図示しないアンカーボルトや金具などを介して基礎Ｆに固定されている。
【００３０】
以上説明したように、水平方向に延びる第１スラブ３には、複数のＨ形鋼４１〜４８から構成される第１梁構造体４が載置された状態で固定されており、一体化された第１スラブ３及び第１梁構造体４が平板状の構造壁２により支持される構造となっている。具体的には、第１スラブ３は、第１梁構造体４がリブとして機能することにより構造強度が向上しているので、第１スラブ３のたわみや変形を抑制できるようになっている。換言すれば、第１スラブ３のたわみや変形を抑制するために構造壁２を配置しなくて済み、例えば、第１スラブ３の一部をキャンチレバー構造とすることができる。すなわち、構造壁２は、第１スラブ３及び第１梁構造体４を支持できればよいので、構造壁２を自由に配置でき、間取りや外観デザインを自由に設計することができる。
【００３１】
また、建物構造１を組み立てるときには、１階部分の構造壁２を基礎Ｆに立設させた後、構造壁２から上方に延びるボルト８ａに第１スラブ３の貫通孔３ａを挿通し、第１スラブ３を構造壁２に支持させた状態でボルト８ａを第１梁構造体４に対して下方から固定させ、第１梁構造体４の上方に２階部分の構造壁２を立設させるようになっている。このように、第１スラブ３を構造壁２に支持させた状態で該構造壁２と第１梁構造体４とを連結固定することができるとともに、第１スラブ３の上方に載置された第１梁構造体４を視認した状態で上方から２階部分の構造壁２が固定されることから、建物構造１を下から上に組上げる作業を行い易い。また、第１梁構造体４が第１スラブ３の上方に載置され、下方から見たときに露見することがないので、美観を向上させることができる。
【００３２】
また、第１梁構造体４が複数のＨ形鋼４１〜４８を面状に配置して一体的に連結した枠体であるため、第１スラブ３を効果的に補強することができる。尚、Ｈ形鋼４１〜４８を個別に第１スラブ３に対して固定してもよいし、Ｈ形鋼４１〜４８が一体化して第１梁構造体４を構成した後、第１スラブ３に第１梁構造体４を固定してもよい。
【００３３】
また、構造壁２は、第１スラブ３を貫通したボルト８ａで第１梁構造体４に対して固定されており、第１スラブ３が構造壁２及び第１梁構造体４により狭持されて一体化されるので、構造壁２、第１スラブ３、第１梁構造体４の連結強度が向上する。
【００３４】
また、第１スラブ３は複数の厚板集成材３１，３１’からなり、第１梁構造体４におけるＨ形鋼４１，４２は、厚板集成材３１，３１’の延びる方向（前後方向）と交差して左右方向に延びている。すなわち、厚板集成材３１，３１’の連結方向にＨ形鋼４１，４２が配置されているので、厚板集成材３１，３１’同士の相対的な歪みを規制でき、第１スラブ３の強度を効果的に向上させることができる。また、厚板集成材３１，３１’は、Ｈ形鋼４１，４２と構造壁２とにより連結方向に沿って上下方向に挟まれるので、第１スラブ３のたわみに対する強度が高い。また、このように第１スラブ３の強度が高いので、厚板集成材３１，３１’の連結方向にキャンチレバー構造を大きく構成することができる。尚、第１スラブ３を構成する複数の厚板集成材３１，３１’は長手方向に繊維が延びているため、長手方向における強度が高く、厚板集成材３１，３１’の連結方向に交差する方向についても、キャンチレバー構造を大きく構成することができる。
【００３５】
また、第１梁構造体４は、Ｈ形鋼４１〜４８により構成されていることから、高い強度を確保しながらも軽量な構造とすることができる。
【００３６】
また、１階部分の構造壁２と２階部分の構造壁２とが同じ第１梁構造体４に連結され一体となって固定されるため、建物構造１が安定する。また、構造壁２は垂直方向に延びており、第１梁構造体４の垂直上方または垂直下方に配置されるので、構造壁２の垂直方向へかかる荷重に対する強度が高い。
【００３７】
また、第１梁構造体４の上方に第１スラブ３から離間して上階の床板が延設されており、第１スラブ３が上階の床板を直接構成しないことから、床材は構造強度に関わらず、床材そのものの形状や素材の選択に加え、床板に付加されるパーティションの位置を自由に選択することができ、空間設計の自由度に優れる。また、第１スラブ３と上階の床板との間の空間により遮音性も高まる。
【００３８】
また、第１スラブ３と上階の床板との間の空間をダクトや配線を収納するスペースとして利用できる。また、例えば、第１スラブ３と上階の床板との間の空間をチャンバーとして利用して、各部屋の換気冷暖房を行えるようにしてもよい。第１スラブ３や床板は、木材で形成されているので、コンクリート等に比べて熱容量が小さく、特に冷暖房のチャンバーとして利用する際に、冷房時には冷えやすく暖房時には温まりやすいという特徴を有するため、冷房時には冷え難く暖房時には温まり難い従来のコンクリートによるチャンバー構造よりも有利であるといえる。特に暖房時には第１スラブ３自体が温まりやすく、床暖房としても機能する。
【００３９】
また、構造壁２には、引張金物８，８’やせん断金物１０，１０’が埋め込まれており、これらを利用して構造壁２と第１梁構造体４とが連結されているので、地震などにより水平方向に作用する力（せん断力）に対する構造強度が高い。
【００４０】
また、建物構造の変形例１として次のようなものもある。図５に示されるように、本変形例１の建物構造の第１梁構造体４００は、左右方向に延びるＨ形鋼４００ａ，４００ｂと、Ｈ形鋼４００ａ，４００ｂ間を繋ぐように前後方向に延びるＨ形鋼４００ｃ，４００ｄ，４００ｅと、から構成されている。Ｈ形鋼４００ｃ，４００ｅは、Ｈ形鋼４００ａ，４００ｂの左右両端部を連結している。このように、第１梁構造体４００は、Ｈ形鋼４００ａ，４００ｂ，４００ｃ，４００ｅにより上面視矩形状に形成されていてもよい。
【００４１】
また、建物構造の変形例２として次のようなものもある。図６に示されるように、本変形例２の建物構造の第１梁構造体４０１は、Ｈ形鋼４００ｄ，４００ｅから前方に延びるＨ形鋼４００ｆ，４００ｇと、Ｈ形鋼４００ｆ，４００ｇの前端を連結するＨ形鋼４００ｈと、を備えている。
【００４２】
また、建物構造の変形例３として次のようなものもある。図７に示されるように、本変形例３の建物構造の第１スラブ３００は、Ｈ形鋼４００ｃ，４００ｄ，４００ｅと前後方向の長さが略同一の厚板集成材３００ａと、Ｈ形鋼４００ｄ，４００ｅの左右の離間幅と同一の左右方向の長さを有する厚板集成材３００ｂと、Ｈ形鋼４００ｆ，４００ｇと前後方向の長さが略同一の厚板集成材３００ｃと、から構成されている。
【００４３】
厚板集成材３００ａは、上面視長方形を成し、Ｈ形鋼４００ａ，４００ｂ，４００ｃ，４００ｄで囲まれた部分に前後方向を向いて左右方向に４枚並設されている。また、厚板集成材３００ｂは、上面視長方形を成し、Ｈ形鋼４００ａ，４００ｂ，４００ｄ，４００ｅで囲まれた部分に左右方向を向いて前後方向に３枚並設されている。厚板集成材３００ｃは、上面視正方形を成し、Ｈ形鋼４００ａ，４００ｆ，４００ｇ，４００ｈで囲まれた部分に左右方向に２枚並設されている。
【００４４】
このように、複数種類の厚板集成材３００ａ，３００ｂ，３００ｃを組み合わせて第１スラブ３００を構成してもよい。これにより複雑な形状の第１スラブに対応することができる。
【００４５】
また、建物構造の変形例４として次のようなものもある。図８に示されるように、本変形例４の建物構造の第１スラブ３００’は、４枚の厚板集成材３００ａのうち、中央の厚板集成材３００ａ’が厚板集成材３００ａよりも短尺となっており、階段や吹き抜け等の切欠部３００Ａが形成されている。
【００４６】
また、本変形例４の第１梁構造体４０１’は、Ｈ形鋼４００ｃ，４００ｄの間を連結するＨ形鋼４００ｊが設けられており、このＨ形鋼４００ｊは、厚板集成材３００ａ’の前端の辺に沿って配置されている。すなわち、切欠部３００Ａの前端及び後端がＨ形鋼４００ａ，４００ｊにより補強されるので、切欠部３００Ａを有する第１スラブ３００’であっても第１スラブ３００’のたわみや捻れ等を抑制できる。
【００４７】
また、建物構造の変形例５として次のようなものもある。図９に示されるように、本変形例４の建物構造の第１スラブ３０１は、前後方向に延び右端側に配置される厚板集成材３０１ａと、左右方向に延び前後方向に並列される厚板集成材３０１ｂ，３０１ｂ，３０１ｂ’と、上面視正方形を成す厚板集成材３０１ｃと、から構成されている。厚板集成材３０１ｂ’は、厚板集成材３０１ｂよりも短尺となっており、厚板集成材３０１ｂよりも前方側に配置されている。したがって、前方側の厚板集成材３０１ｂと厚板集成材３０１ｂ’と厚板集成材３０１ａとにより切欠部３０１Ａが形成される。
【００４８】
また、第１スラブ３０１は、第１梁構造体４０２，４０３により補強されている。第１梁構造体４０２は、Ｈ形鋼４０２ａ，４０２ｂ，４０２ｃ，４０２ｄが厚板集成材３０１ａの外縁に沿って配置される平面視略長方形に形成されている。また、Ｈ形鋼４０２ｄには、厚板集成材３０１ｂの右端が固定されている。また、第１梁構造体４０３は、Ｈ形鋼４０３ａ，４０３ｂ，４０３ｃ，４０３ｄが平面視略長方形に配置されて形成されている。このように、第１スラブ３０１は、別体の２つの第１梁構造体４０２，４０３により補強されていているため、第１スラブ３０１の構造強度を確保できているとともに、切欠部３０１Ａの前後に第１梁構造体４０２，４０３が配置されないので、切欠部３０１Ａ周辺の美観が向上する。また、このようにすることで、第１梁構造体４０２，４０３を構成するＨ形鋼の数量を減らすことができる。
【００４９】
また、建物構造の変形例６として次のようなものもある。図１０及び図１１に示されるように、本変形例６の建物構造１００は、３階建ての建物に適用されている。建物構造１００の第１スラブ３０１は、平面視において歪な多角形（五角形）を成しており、第２スラブ５０１は、平面視において第１スラブ３０１とは異なる歪な多角形（七角形）を成している。また、第１梁構造体４０４及び第２梁構造体６０１は上面視において若干異なる形状を成しているが、外形はほぼ同一の歪な多角形（七角形）を成している。尚、第１梁構造体４０４及び第２梁構造体６０１は、第１スラブ３０１及び第２スラブ５０１内に収まる大きさの外形に形成されている。
【００５０】
このように、第１梁構造体４０４及び第２梁構造体６０１が第１スラブ３０１及び第２スラブ５０１に固定されて強度が確保されるので第１スラブ３０１及び第２スラブ５０１を自由な形状とすることができるとともに、構造壁２を第１スラブ３０１及び第２スラブ５０１上に自由に配置することができるので、第１スラブ３０１及び第２スラブ５０１のキャンチレバー構造を大きく形成することができ、建物構造１００の設計自由度が高い。また、このように、第１梁構造体４０４及び第２梁構造体６０１の形状を異なるようにしてもよい。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例では、構造壁２と第１スラブ３とが締結手段により固定され、第１スラブ３と第１梁構造体４とが別の締結手段により固定される形態を例示したが、これに限られず、第１スラブ３に形成した貫通孔に構造壁２のボルト８ａを直接挿通させ、このボルトに対して第１梁構造体４を固定する構成としてもよい。さらに、予め第１スラブ３と第１梁構造体４とを一体化した後、一体化された第１スラブ３と第１梁構造体４とを構造壁２の上に組上げてもよい。
【００５３】
また、前記実施例では、構造壁２が第１スラブ３を介して第１梁構造体４に固定される形態を例示したが、これに限られず、例えば、構造壁２が上面視において第１梁構造体４と前後方向または左右方向にずれた位置で第１スラブ３に固定されていてもよい。
【００５４】
また、前記実施例では、第１梁構造体４が複数のＨ形鋼４１〜４８を一体的に連結した枠体である形態を例示したが、Ｈ形鋼４１〜４８は第１スラブ３を介して一体的に連結されていれば、Ｈ形鋼４１〜４８同士が直接連結されていなくてもよい。
【００５５】
また、前記実施例では、構造壁２が厚板集成材で構成されている形態を例示したが、構造壁は平板状であればその材料は自由に変更してもよい。
【００５６】
また、前記実施例では、構造壁２でのみ第１スラブ３や第２スラブ５等を支持する形態を例示したが、柱等を補助的に配置するようにしてもよい。
【００５７】
また、前記実施例では、第１スラブ３や第２スラブ５が複数の厚板集成材３１，３１’により構成されていたが、構造スラブ板は１枚の板材で構成されていてもよい。
【００５８】
また、前記実施例では、金属梁をＨ形鋼として説明したが、これに限られず、例えば、Ｌ形鋼や溝形鋼などでもあってもよいし、中空または中実の角柱状の梁材等であってもよい。
【符号の説明】
【００５９】
１                建物構造
２                構造壁
３                第１スラブ（構造スラブ板）
４                第１梁構造体（梁構造体）
５                第２スラブ（構造スラブ板）
６                第２梁構造体（梁構造体）
８ａ，８’        ボルト
３１，３１’      厚板集成材（板材）
４１〜４８        Ｈ形鋼（金属梁）
５１              厚板集成材（板材）
３００            第１スラブ
【図１】
2020190170.tif 000003
【図２】
2020190170.tif 000004
【図３】
2020190170.tif 000005
【図４】
2020190170.tif 000006
【図５】
2020190170.tif 000007
【図６】
2020190170.tif 000008
【図７】
2020190170.tif 000009
【図８】
2020190170.tif 000010
【図９】
2020190170.tif 000011
【図１０】
2020190170.tif 000012
【図１１】
2020190170.tif 000013
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
水平方向に延びる木製平板状の構造スラブ板と、
複数の金属梁から構成され、前記構造スラブ板に載置されて固定される梁構造体と、
前記構造スラブ板及び前記梁構造体の少なくともいずれか一方に固定され前記構造スラブ板より下方に配置される木製平板状の構造壁と、を備え、
前記梁構造体は、前記複数の金属梁により形成された多角形の内側において前記金属梁同士の間を繋ぐように別の前記金属梁が連結されて一体的に面状を成していることを特徴とする建物構造。
【請求項２】
前記構造壁は、前記構造スラブ板を貫通した締結手段で前記梁構造体に対して固定されていることを特徴とする請求項１に記載の建物構造。
【請求項３】
前記構造スラブ板は複数の板材からなり、これら板材の延びる方向は前記梁構造体と交差して配置されていることを特徴とする請求項１または２に記載の建物構造。
【請求項４】
前記梁は、Ｈ形鋼であることを特徴とする請求項１ないし３のいずれかに記載の建物構造。
【請求項５】
上階の構造壁は、前記梁構造体に固定されていることを特徴とする請求項１ないし４のいずれかに記載の建物構造。
【請求項６】
前記梁構造体の上方には、前記構造スラブ板から離間して上階の床仕上げ材が延設されていることを特徴とする請求項１ないし５のいずれかに記載の建物構造。
【手続補正２】
【補正対象書類名】明細書
【補正対象項目名】０００７
【補正方法】変更
【補正の内容】
【０００７】
前記課題を解決するために、本発明の建物構造は、
水平方向に延びる木製平板状の構造スラブ板と、
複数の金属梁から構成され、前記構造スラブ板に載置されて固定される梁構造体と、
前記構造スラブ板及び前記梁構造体の少なくともいずれか一方に固定され前記構造スラブ板より下方に配置される木製平板状の構造壁と、を備え、
前記梁構造体は、前記複数の金属梁により形成された多角形の内側において前記金属梁同士の間を繋ぐように別の前記金属梁が連結されて一体的に面状を成していることを特徴としている。
この特徴によれば、複数の金属梁から構成される強度の高い梁構造体が構造スラブ板に載置されて固定されることで構造スラブ板のたわみに対する強度が高いため、構造スラブ板の下方の一部の構造壁を省略しても構造強度を確保でき、間取りの自由度や外観デザインに優れる。さらに、構造スラブ板に梁構造体が載置されていることから、梁構造体が露見することがなく、美観を向上させることができる。
【手続補正３】
【補正対象書類名】明細書
【補正対象項目名】０００８
【補正方法】削除
【補正の内容】